【手続補正書】
【提出日】平成18年12月22日(2006.12.22)
【手続補正１】
【補正対象書類名】明細書
【補正対象項目名】００１２
【補正方法】変更
【補正の内容】
【００１２】
図１は、実施例のコインセレクタの正面斜視図である。
図２は、実施例のコインセレクタの正面図である。
図３は、実施例のコインセレクタの分解斜視図である。
図４は、実施例のカバーを取り外したコインセレクタの正面図である。
図５は、図２におけるＡ−Ａ断面図である。
図６は、実施例のコインセレクタの背面斜視図である。
【手続補正２】
【補正対象書類名】明細書
【補正対象項目名】００１３
【補正方法】変更
【補正の内容】
【００１３】
図１において本体１００は、断面チャンネル形状であって、その溝部１０２（図３）は縦長に形成され、樹脂等により成形されている。
樹脂等により成形したカバー１０４は、本体１００に突設した軸受１０６に軸１０８により回動自在に枢着されている。
また、カバー１０４は軸１０８に巻き付けたバネ１１０（図２）により本体１００側に付勢されている。
本体１００の左側端部上面にコインの投入口１１２、本体１００の右側端面の下方部に正貨コインの出口１１４が配置されている。
【手続補正３】
【補正対象書類名】明細書
【補正対象項目名】００１５
【補正方法】変更
【補正の内容】
【００１５】
支軸１２６は、ベースボード１１６のほぼ上部中央における中心位置Ｐにおいてベースボード１１６に対し直角に形成された丸棒状である。
レール１１８の表面、換言すれば、支軸１２６側内面には、ステンレス板１２８が磨耗防止のために取り付けてある。
したがって、ステンレス板１２８の内表面がコインのガイドであるが、本明細書において、前記下降部１２０、第１弧状部１２および第１傾斜部１２４は、ステンレス板１２８のその対応する位置の内表面をも意味する。
このレール１１８に隣接した本体１００側に垂立壁１３０を設けてある。
レール１１８に沿ってレール１１８を含む平面がコイン通路１３２を形成する。
【手続補正４】
【補正対象書類名】明細書
【補正対象項目名】００１６
【補正方法】変更
【補正の内容】
【００１６】
板状ガイド１３４は、支軸１２６にその嵌合孔１３６を嵌合し、ベースボード１１６に密着させてある。
この板状ガイド１３４の第１弧状部１２２に相対する部位が第２弧状部１３８であり、中心位置Ｐを中心とした前記第１半径Ｒ１よりも小さい第２半径Ｒ２により弧状に形成されている。
板状ガイド１３４は、第２弧状部１３８の上流側に、直線状の第２下降部１４０が連続して形成されている。
換言すれば、第２弧状部１３８に連続して上方に、第１下降部１２０と平行に伸びる第２下降部１４０が形成されている。
【手続補正５】
【補正対象書類名】明細書
【補正対象項目名】００１７
【補正方法】変更
【補正の内容】
【００１７】
また、板状ガイド１３４は、第２弧状部１３８の下流側に直線状の第２傾斜部１４２が形成されている。
換言すれば、第２弧状部１３８に連続して斜め下方に第１傾斜部１２４と平行に伸びる第２傾斜部１４２が形成されている。
図４に示すように、第２弧状部１３８、第２下降部１４０及び第２傾斜部１４２は、板状ガイド１３４の下部のほぼ円形の円形部１４４の周面に形成されている。
【手続補正６】
【補正対象書類名】明細書
【補正対象項目名】００１８
【補正方法】変更
【補正の内容】
【００１８】
さらに、円形部１４４から上方に向かって入口ガイド部１４６が直線状に形成され、前記第２下降部１４０に連続して入口ガイド１４８が形成されている。
詳述すると、入口ガイド１４８は、第２下降部１４０から、前記第１下降部１２０とから遠ざかるように斜め上方に直線状に伸びている。
本体１００側にも、前記第１下降部１２０に連続して斜め上方に伸びる本体側入口ガイド１５０が形成されている。
【手続補正７】
【補正対象書類名】明細書
【補正対象項目名】００１９
【補正方法】変更
【補正の内容】
【００１９】
したがって、コイン通路１３２は、最上部において本体側入口ガイド１５０と入口ガイド１４８によって下すぼまりの漏斗状部１５２であり、その下方は第１下降部１２０と第２下降部１４０によってほぼ垂立する垂直通路１５４であり、その下方は第１弧状部１２２と第２弧状部１３８によって約６０度横方向に転向される弧状通路１５６であり、その下方は、第１傾斜部１２４と第２傾斜部１４２によって水平線に対し約３０度で傾斜する傾斜通路１５８である。  
【手続補正８】
【補正対象書類名】明細書
【補正対象項目名】００２４
【補正方法】変更
【補正の内容】
【００２４】
転落防止板１７２がセンサ１７０と一体的に固定され、コイン通路１３２を挟んでベースボード１１６の反対側に配置されている。
転落防止板１７２は、ベースボード１１６と共同してコイン通路１３２を画定し、コインのレール１１８からの落下を防止する。
第１ゲート手段１７４はコイン通路１３２の傾斜通路１５８の下流端部、かつ、レール１１８に近接した位置に進退可能に配置され、樹脂成形されている。
【手続補正９】
【補正対象書類名】明細書
【補正対象項目名】００２８
【補正方法】変更
【補正の内容】
【００２８】
第２ゲート手段１８０は、正面から見て第１弧状部１２２に沿って弧状であると共に、コイン通路１３２の上流側から下流側に向かって暫時コイン通路１３２に突出するようにカム面１８２が形成されている。
第２ゲート手段１８０は、ベースボード１１６に支軸１２６を中心に形成した弧状開口１８６に配置してある。
【手続補正１０】
【補正対象書類名】明細書
【補正対象項目名】００３２
【補正方法】変更
【補正の内容】
【００３２】
手動キャンセル受けレバー２００は、ベースボード１１６の背面に突出する軸２０２に枢着されている。
図６から明らかなように、手動キャンセルレバー２０４が、前記弧状開口１８６に位置しており、第２ゲート手段１８０から第１ゲート手段１７４に跨って相対するよう円弧の４分の１程度の大きさになっている。
この手動キャンセルレバー２０４は腕２０６に固定されており、背面にカム（図示せず）が突設されている。
前記手動キャンセル受けレバー２００の反対側に位置して突出している腕２０８には前記カムに相対してカム（図示せず）が形成してある。
【手続補正１１】
【補正対象書類名】明細書
【補正対象項目名】００３３
【補正方法】変更
【補正の内容】
【００３３】
前記手動キャンセル受けレバー２００はゲーム機のキャンセル釦により押し下げられた場合、軸２０２の回りを図６において反時計回り方向に回動する。
この回動により、前記２つのカムにより手動キャンセルレバー２０４は図５において上方向に移動され、その先端部がコイン通路１３２に進入することにより、コイン通路１３２に位置しているコインを強制的にレール１１８上から押し出して落下させる。
手動キャンセル受けレバー２００は、ゲーム機のキャンセル釦の押し下げが解除された場合、スプリング（図示せず）の弾性により復帰する。
この復帰に伴って手動キャンセルレバー２０４は腕２０６の弾発力により、コイン通路１３２から外れた退避位置に復帰する。
【手続補正１２】
【補正対象書類名】明細書
【補正対象項目名】００３６
【補正方法】変更
【補正の内容】
【００３６】
また、軸２２２には補助ストッパ２２８が回動自在に枢着され垂下されている。
補助ストッパ２２８の下端部は第１ゲート手段１７４の突部１７６側にＬ字状に屈曲している。
その屈曲端は、第１ゲート手段１７４の突部１７６がコイン通路１３２を横切った後にその先端に当接する。
【手続補正１３】
【補正対象書類名】明細書
【補正対象項目名】００３７
【補正方法】変更
【補正の内容】
【００３７】
真正コインがコイン投入口２１２に投入された場合、ベースボード１１６およびカバー１０４のガイド部２１２および入口ガイド１４８，１５０で案内されて垂直に落下する。
その後、垂直通路１５４の第１降下部１２０、第２降下部１４０、垂立壁１３０、ならびに、板状ガイド１３４の側面ガイド１６０、及びガイド片２２４とで傾斜通路１５８へ案内される。
【手続補正１４】
【補正対象書類名】明細書
【補正対象項目名】００４０
【補正方法】変更
【補正の内容】
【００４０】
この状態において第１ゲート手段１７４の突部１７６はコイン通路１３２を通過した位置にあり、弧状面１７８がコイン通路１３２に位置している。
第２ゲート手段１８０はスプリングによりコイン通路１３２側に突出するよう付勢され、カム面１８２がコイン通路１３２に位置しているキャンセル位置にある。
【手続補正１５】
【補正対象書類名】明細書
【補正対象項目名】００５２
【補正方法】変更
【補正の内容】
【００５２】
【図１】図１は、実施例のコインセレクタの斜視図ある。
【図２】図２は、実施例のコインセレクタの正面図である。
【図３】図３は、実施例のコインセレクタの分解斜視図である。
【図４】図４は、実施例のカバーを取り外したコインセレクタの正面図である。
【図５】図５は、図２におけるＡ−Ａ断面図である。
【図６】図６は、実施例のコインセレクタの背面斜視図である。